(57)【特許請求の範囲】
【請求項１】
給水管からの水を加熱体を備えた補助タンクで加熱し、前記加熱された湯をロータンク上部の吐出口から供給するロータンクの手洗い用電気温水器において、
前記ロータンク内部の給水管から分岐した入水管と、前記補助タンクを経由して、前記吐出口に湯を供給する出湯管とで構成した経路を設け、同経路は、ロータンクの左右に夫々１つずつある既存の給水孔のうち、ロータンクの給水管が取付けられていない方の給水孔を介して前記ロータンクの外部に設けられた補助タンクと接続したことを特徴とするロータンクの手洗い用電気温水器。
【請求項２】
請求項１記載のロータンクの手洗い用電気温水器において、前記入水管に、定流量弁を設けたことを特徴とするロータンクの手洗い用電気温水器。
【請求項３】
請求項１記載のロータンクの手洗い用電気温水器において、前記給水管に、ロータンク内の水位が一定水位以上になると閉じ、一定水位以下になると開く開閉弁を設けたことを特徴とするロータンクの手洗い用電気温水器。
【請求項４】
請求項１、３記載のロータンクの手洗い用電気温水器において、前記補助タンク上面は、前記入水管あるいは前記開閉弁よりも下方に設けたことを特徴とするロータンクの手洗い用電気温水器。
【請求項５】
請求項１記載のロータンクの手洗い用電気温水器において、前記給水管の水を前記補助タンクで加熱された湯と混合するためのバイパス管と、前記バイパス管に流れる水の量を調節する調節弁を備えたことを特徴とするロータンクの手洗い用電気温水器。
【発明の詳細な説明】
【０００１】
【発明の属する技術分野】
本発明は、補助タンク等により加熱された湯を、ロータンクの手洗い用の湯として使用するロータンクの手洗い用電気温水器に管するものである。
【０００２】
【従来の技術】
従来、ロータンクの手洗い用電気温水器においては、実開昭６２−１７２７７１にあるように、給水管からの水を補助タンクで加熱し、加熱された湯をロータンクの給水孔を介して手洗い用の吐出口から供給している。
【０００３】
【発明が解決しようとする課題】
しかし、上記ロータンクの手洗い用電気温水器では、補助タンク内の水が逆流しないように逆止弁等が必要となり、コストがかかるという問題点があった。
【０００４】
また、補助タンクをロータンクの近傍に備えるため、スペースがかなり必要になるという問題もあった。
【０００５】
従って、本発明の第１の目的は、ロータンクには給水孔が左右夫々１つづつあることに着目し、逆止弁等が必要なく、しかもロータンクの手洗い用の温水として、使用者に快適な湯温で供給できるロータンクの手洗い用電気温水器を提供することにある。
【０００６】
また、本発明の第２の目的は、新たなスペースを必要としないロータンクの手洗い用電気温水器を提供することにある。
【０００７】
【課題を解決するための手段】
上記目的を達成するために、本発明においては、給水管からの水を加熱体を備えた補助タンクで加熱し、前記加熱された湯をロータンク上部の吐出口から供給するロータンクの手洗い用電気温水器において、前記ロータンク内部の給水管から分岐した入水管と、前記補助タンクを経由して、前記吐出口に湯を供給する出湯管とで構成した経路を設け、同経路は、ロータンクの左右に夫々１つずつある既存の給水孔のうち、ロータンクの給水管が取付けられていない方の給水孔を介して前記ロータンクの外部に設けられた補助タンクと接続したことを特徴とする。
【０００９】
更に、前記入水管に、定流量弁を設けたことを特徴とする。
【００１０】
更に、前記給水管に、ロータンク内の水位が一定水位以上になると閉じ、一定水位以下になると開く開閉弁を設けたことを特徴とする。
【００１１】
更に、前記補助タンク上面は、前記入水管あるいは前記開閉弁よりも下方に設けたことを特徴とする。
【００１２】
更に、前記給水管の水を前記補助タンクで加熱された湯と混合するためのバイパス管と、前記バイパス管に流れる水の量を調節する調節弁を備えたことを特徴とする。
【００１４】
【発明の実施の形態】
以下、本発明の実施の形態を、図面により詳細に説明する。
【００１５】
図１は、本発明のロータンクの手洗い用電気温水器の一実施形態が適用される構成図である。
【００１６】
上記ロータンクの手洗い用電気温水器は、図１に示すように、給水源からの水を、ロータンク１及び補助タンク３に供給する給水管１１と、補助タンク３で加熱された湯を吐出する吐出口１５を備える。
【００１７】
図２はロータンク１及び補助タンク３の内部構成を示す。
【００１８】
ロータンク１内には、給水管１１を通る水を便器の洗浄用水として使用するためのボールタップ７を備え、補助タンク３内に入水管５を介して水を供給する。ここで、補助タンク３の上面はボールタップ７より、下部に設けている。また入水管５には水の量を制限する定流量弁６を備える。更に、入水管５から供給された水を補助タンク３内で加熱するためのヒータ１３と、ヒータ１３により加熱された湯を出湯管９を介し、ロータンク１上部に設けられた吐出口１５により湯を供給する。
【００１９】
ここで、入水管５と出湯管９は、ロータンク１の給水管１１が取付けられていない方の給水孔２１に取付けられており、その接続部には、袋ナット２３、パッキン２５を介している。
【００２０】
またボールタップ７は、先端に浮き玉２７を備え、ロータンク１内の水位がある水位以上、下がると開き、上がると閉じる開閉弁を内部に備える。
【００２１】
次に本発明の一般的な動作を説明する。
【００２２】
まず、使用者が便器洗浄のためにレバー（図示しない）を操作すると、ロータンク１内の水位が下がり、浮き玉２７が下方に動くことにより、ボールタップ７内の開閉弁が開く。このとき、入水管５に設けられた定流量弁６により補助タンク３内の水がオーバーフローすることがない。
【００２３】
次に、給水管１１から水がロータンク１及び入水管５を介して補助タンク３内に供給されると、その圧力により、補助タンク３内に貯湯されていた湯が、出湯管９を介し、吐出口１５から吐出される。ロータンク１内の水位が一定水位以上になると、浮き玉２７が上方に動くことにより、ボールタップ７内部の開閉弁が閉じ、給水管１１からの水の供給は停止される。
【００２４】
なお、補助タンク３内のヒータ１３による加熱手段は、適温になるよう加熱制御してもよいが、ある一定の高温で貯湯するように加熱制御してもよい。高温で貯湯する場合は図３に示すように、バイパス管３１等を設け、入水管５の水と出湯管９の湯を混合させ、バイパス管３１を流れる水の量を調節弁３３により調節し、適温になるように制御する。
【００２５】
また、図４に示すように、補助タンク３と吐出口１５を一体型としてもよい。この場合も、給水管１１から分岐した入水管７から供給された水は、補助タンク３内で加熱された後、出湯管９を通って吐出口１５から吐出される。
【００２６】
次に、他の実施例を図５に示す。
【００２７】
ロータンク１内に小孔３７を設けた仕切り板３５を備え、ロータンク１内の水位がある一定水位以上のとき、小孔３７からロータンク１内の水が入り、仕切り板３５によって形成された貯湯部５１内に備えられたヒータ１３により加熱される。加熱された湯は、吐出口１５に近傍に設けられたセンサー３９により、使用者の手をセンサー３９が感知すると、出湯管９に設けられたポンプＰが作動し、湯が吐出口１５から供給される。使用者の手をセンサー３９が感知しなければ、ポンプＰは停止し、湯の供給は停止される。
【００２８】
なお、上記実施例は、補助タンク３内で貯湯された湯を供給する、いわゆる貯湯式タイプで説明したが、瞬間式タイプでもよい。
【００２９】
上記瞬間式タイプの場合は、家庭用の電源では、適温の湯が充分に得られない場合があるために、吐出口１５からの吐出状態をシャワー状にして、手洗い感覚を向上させてもよい。
【００３０】
また、例えば局部洗浄装置などに使用するために、適温の湯が必要な場合は、補助タンク３から別配管にて、適温の湯を供給するように構成してもよい。この場合、局部洗浄の停止信号あるいは、使用者が便座に着座したことを感知するセンサーにて開閉する電磁弁等を別配管中途に設けて、湯の供給の開始、停止を制御する。
【００３１】
【発明の効果】
（１）入水管及び出湯管は、ロータンクの左右に夫々１つずつある既存の給水孔のうち、ロータンクの給水管が取付けられていない方の給水孔を介して前記ロータンクの外部に設けられた補助タンクと接続したので、わざわざ孔を設ける必要がない。
【００３２】
（２）更に、定流量弁を設けて給水量を制限しているので、補助タンク内の湯切れを防止できる。
【００３３】
（３）更に、浮き玉の上下運動に連動して開閉する開閉弁により、必要に応じて吐出口から適温の湯が使用者に供給することができる。
【００３４】
（４）更に、補助タンクを開閉弁あるいは入水管よりも下部に設けたので、逆止弁等が不要である。
【００３５】
（５）更に、入水管から出湯管にバイパス管を設けたことにより、高温貯湯した場合にも適温の湯を供給することができる。
【図面の簡単な説明】
【図１】一実施形態のロータンクの手洗い用電気温水器が適用される構成図。
【図２】ロータンク及び補助タンクの内部構成図。
【図３】他の実施形態の補助タンクの内部構成図。
【図４】他の実施形態のロータンク及び補助タンクの内部構成図。
【図５】他の実施形態のロータンクの手洗い用電気温水器が適用される構成図。
【符号の説明】
１…ロータンク
３…補助タンク
５…入水管
６…定流量弁
７…ボールタップ
９…出湯管
１１…給水管
１３…ヒータ
１５…吐出口
２１…給水孔
２３…袋ナット
２５…パッキン
２７…浮き玉
３１…バイパス管
３３…調節弁
３５…仕切り板
３７…小孔
３９…センサー
５１…貯湯部
【図１】
0003564871.tif 000002
【図２】
0003564871.tif 000003
【図３】
0003564871.tif 000004
【図４】
0003564871.tif 000005
【図５】
0003564871.tif 000006